(57)【要約】【課題】ユーザの負荷及びＩＳＰ側のユーザ獲得コストを低減でき、登録後のユーザ支援にも有用な支援用の記録媒体を提供する。【解決手段】記録媒体１は書込不可領域（ＲＯＭ領域１１），書込可能領域（ＲＡＭ領域１２）のハイブリッド型とする。ＲＯＭ領域１１にはインターネット接続サービス登録プログラム，インターネット接続設定プログラムが格納され、ＲＡＭ領域１２には登録情報をインターネット接続サービス登録（入会）時や登録情報変更時に格納する。登録プログラムは、ＩＳＰ側が顧客情報として必要なユーザ固有情報を入力・設定する手順をユーザ側に提示し、ＩＳＰ側サーバ装置と情報をやり取りすることで、インターネット接続サービスに登録するためのものである。設定プログラムとは、登録後に記録媒体１内の登録情報に基づいてユーザの端末がインターネット接続可能となるように設定するためのものである。【選択図】        図１
2004302810.tif 000002
【特許請求の範囲】
【請求項１】
ユーザ側で読み取り可能で書き込み不可能な記憶領域である書込不可領域と、ユーザ側で読み取り及び書き込みが可能な記憶領域である書込可能領域と、を少なくとも含むハイブリッド型の記録媒体であって、
前記書込不可領域には、インターネット接続サービスの登録に関するインターネット接続サービス登録プログラム及びインターネット接続の設定に関するインターネット接続設定プログラムが少なくとも格納されており、
前記書込可能領域には、登録情報をインターネット接続サービス登録時又は該登録時及び登録情報変更時に格納することを特徴とする、インターネット接続支援用の記録媒体。
【請求項２】
前記インターネット接続サービス登録プログラムは、インターネット接続確立に必要なユーザ固有情報を入力させる入力ステップと、インターネット接続サービスの提供元のサーバ装置に通信回線を介して接続する接続ステップと、前記入力ステップにより入力されたユーザ固有情報を、前記サーバ装置に送信し、該サーバ装置との情報のやり取りを行って前記インターネット接続サービスの利用申し込みの登録を行う登録ステップと、該登録ステップにより登録されたユーザ固有情報を含む登録情報を、前記端末に装着された当該記録媒体の前記書込可能領域に書き込む書込ステップと、を含むステップを、ユーザ側の端末に実行させるためのプログラムであることを特徴とする請求項１記載のインターネット接続支援用の記録媒体。
【請求項３】
前記登録情報は、インターネット接続を行う際にユーザを認証するためのＩＤ及びパスワードを含むことを特徴とする請求項１又は２記載のインターネット接続支援用の記録媒体。
【請求項４】
インターネット接続を行う際にユーザを認証するためのパスワードを、前記登録情報の一部として予め前記書込不可領域に格納しておくことを特徴とする請求項１乃至３のいずれか１記載のインターネット接続支援用の記録媒体。
【請求項５】
前記インターネット接続設定プログラムは、前記書込可能領域に格納された登録情報に基づいてインターネット接続情報を設定する設定ステップを含んでなるステップを、前記登録情報に係わるユーザが利用する任意の端末に実行させるためのプログラムであることを特徴とする請求項１乃至４のいずれか１記載のインターネット接続支援用の記録媒体。
【請求項６】
前記インターネット接続設定プログラムは、前記設定ステップで設定した、前記登録情報に係わるユーザが利用する任意の端末に対するインターネット接続情報を、前記書込可能領域に書き込むステップを含んでなるステップを、前記端末に実行させるためのプログラムであることを特徴とする請求項５記載のインターネット接続支援用の記録媒体。
【請求項７】
前記インターネット接続設定プログラムは、前記書込可能領域に書き込まれた前記任意の端末に対するインターネット接続情報を読み出し、該インターネット接続情報が該端末以外のユーザが利用する端末に対して変更となる情報を該端末に対して提示するステップを含んでなるステップを、該端末に実行させるためのプログラムであることを特徴とする請求項６記載のインターネット接続支援用の記録媒体。
【請求項８】
前記設定ステップは、インターネット接続情報として、前記書込可能領域に格納された登録情報或いはユーザ側で入力された情報に基づいて、複数の接続先サイトの中から特定の接続先サイトを設定することを特徴とする請求項５乃至７のいずれか１記載のインターネット接続支援用の記録媒体。
【請求項９】
前記インターネット接続サービス登録プログラムは、前記インターネット接続設定プログラムを起動可能とするためのパスワードを設定し、該パスワードを前記書込可能領域に書き込むパスワード設定ステップを含むステップを、ユーザ側の端末に実行させるためのプログラムであることを特徴とする請求項１乃至８のいずれか１記載のインターネット接続支援用の記録媒体。
【請求項１０】
前記書込不可領域には、当該記録媒体を読み込んでインターネット接続を行うためのパスワードを設定し、該パスワードを前記書込可能領域に書き込むパスワード設定プログラムが格納されていることを特徴とする請求項１乃至９のいずれか１記載のインターネット接続支援用の記録媒体。
【請求項１１】
前記書込不可領域は、ユーザ側にとって読み取り専用の記憶領域であり、前記書込可能領域は、ユーザ側で追記可能な記憶領域であることを特徴とする請求項１乃至１０のいずれか１記載のインターネット接続支援用の記録媒体。
【請求項１２】
前記書込不可領域は、ユーザ側で読み取り及び追記可能な記憶領域であり、前記書込可能領域は、ユーザ側で書き換え可能な記憶領域であることを特徴とする請求項１乃至１０のいずれか１記載のインターネット接続支援用の記録媒体。
【請求項１３】
前記書込不可領域は、ユーザ側にとって読み取り専用の記憶領域であり、前記書込可能領域は、ユーザ側で書き換え可能な記憶領域であることを特徴とする請求項１乃至１０のいずれか１記載のインターネット接続支援用の記録媒体。
【請求項１４】
当該記録媒体は、光ディスクであることを特徴とする請求項１乃至１３のいずれか１記載のインターネット接続支援用の記録媒体。
【請求項１５】
請求項１乃至１４のいずれか１記載のインターネット接続支援用の記録媒体を配布して、ユーザ側の端末で該記録媒体を用いてインターネット接続サービスに登録させ、ユーザにインターネット接続サービスを提供するインターネットサービスプロバイダシステムであって、前記インターネット接続登録プログラムによって通信回線を介して登録されたユーザの固有情報を含む登録情報を、顧客情報として登録し管理する顧客管理データベースと、該顧客管理データベースを管理するためのデータベース管理サーバ装置と、前記登録情報を登録元の端末に伝送する手段と、を有することを特徴とするインターネットサービスプロバイダシステム。
【請求項１６】
請求項１乃至１４のいずれか１記載のインターネット接続支援用の記録媒体を配布して、
ユーザ側の端末で該記録媒体の前記インターネット接続登録プログラムを起動させて、通信回線を介してインターネットサービスプロバイダの顧客管理データベースにユーザの固有情報を含む登録情報を登録させることで、該ユーザをインターネット接続サービスに入会させ、前記登録情報を、登録元の端末に伝送して前記記録媒体の書込可能領域に記録させ、
前記ユーザの端末で前記記録媒体の前記インターネット接続設定プログラムを起動させて該端末のインターネット接続設定を行わせることで、前記ユーザの使用する任意の端末に対し前記記録媒体を用いたインターネット接続サービスを提供する、インターネット接続サービス提供方法。
【発明の詳細な説明】
【０００１】
【発明の属する技術分野】
本発明は、インターネット接続支援用の記録媒体、該記録媒体を利用したインターネットサービスプロバイダシステム、及び該記録媒体を利用したインターネット接続サービス提供方法に関する。
【０００２】
【従来の技術】
近年、パーソナルコンピュータ（以下、ＰＣと称する）は勿論のこと、携帯電話機に代表される移動電話機，ゲーム機，テレビジョン装置，カーナビゲーションシステム等の電子機器に情報通信機能を持たせることで、これら電子機器（情報通信端末）からインターネットに接続して、電子メールの送受信，ホームページの閲覧，オンラインショッピング等が行えるようになっているものが多い。
【０００３】
インターネットを利用するには、一般にインターネットサービスプロバイダ（以下、ＩＳＰとも称する）に入会するためのセットアップを行う必要があり、そのセットアップが正常に完了した後に、所定のサービスを受けることが可能となる。ここで、セットアップに関する情報としては、ユーザＩＤ，ユーザパスワード，メールアカウント，メールパスワード，ＤＮＳ（Ｄｏｍａｉｎ  Ｎａｍｅ  Ｓｙｓｔｅｍ）、アクセスポイント等の情報（以下、インターネット接続情報と称する）を取得する必要がある。現在、幾つものインターネットサービスプロバイダが存在し、入会者をより多く獲得することで、新たなビジネスモデルを確立できるように活動している。
【０００４】
新たなビジネスモデルとは、例えば、米国ＡＯＬ社の収益モデルで、入会者数を増やすことにより、収益の基盤を入会者の利用料金から、入会者数に応じた広告収入にシフトするというモデルである。
【０００５】
一方、利用者が複数あるＩＳＰ業者から自分が加入するプロバイダを選択する有効な理由として、利用料金額の低額や入会後のサービス・サポート体制の充実などがある。現在、これらの条件に関しては、一定期間の無料化を実施していたり、料金無料で時間制限の無いサポート体制などがあり、各社横一線といった状況であり、特徴的、或いは際立った優位性はない。
【０００６】
他方、新たにＩＳＰに入会する際の問題点として、ユーザ（利用者）のＰＣ等の情報通信端末のリテラシが低く、自分の情報通信端末をＩＳＰのサーバ装置にアクセスする環境にセッティングできないことが挙げられる。このようなユーザ意識が、新たにインターネットを利用したり、或いは他のＩＳＰ業者のサービスに乗り換えることを可能とする為のハードルの高さである、ということは言及するまでもない。
【０００７】
現状のインターネットサービスプロバイダ入会方法では、このハードルをなるべく低くするために、店頭（量販店など）でインターネット接続用の自動セットアップソフトとダイアルアップソフトを格納したＣＤ−ＲＯＭを無料配布している。この方法では、ユーザがそれを持ち返って自宅のＰＣにＣＤ−ＲＯＭを挿入し、その後、自動的に起動する指示表示に応じた入力作業を行うことで、配付業者のインターネット接続サービスに登録及び入会が可能となる。
【０００８】
図９は、従来技術によるインターネットサービスプロバイダ入会方法を説明するための模式図である。
ＩＳＰ業者１０３は、上述のごときソフト（プログラム）を格納したＣＤ−ＲＯＭを作成するよう、ＣＤ−ＲＯＭメーカ１０２へ依頼する。その依頼に対して、ＣＤ−ＲＯＭメーカ１０２は、ＣＤ−ＲＯＭ１０１をＩＳＰ業者１０３に納品し、その対価を受け取る。ＩＳＰ業者１０３は、ＣＤ−ＲＯＭ１０１を量販店１０４などで配布する。ユーザ１０６は、量販店１０４などで取得したＣＤ−ＲＯＭ１０１をＰＣ１６０等の情報通信端末（以下、単に端末と呼ぶ）に挿入し、ネットワーク１０５を介してインターネット接続サービスに登録する。ここでの登録は、例えばＩＳＰ側のＷｅｂサーバ装置１３１を介して行われ、最終的に顧客管理サーバ装置１３２で管理・制御する顧客管理データベース１３３に登録される。ＩＳＰ業者１０３は、登録後、登録情報を郵便物としてユーザ１０６に送付する。登録情報がネットワーク１０５を介してユーザ１０６の端末１６０に送信される形態も存在するが、その登録情報をユーザ１０６がＰＣ１６０のハードディスクＨＤＤに格納するか、或いはプリントアウト又はメモ書きする必要がある。いずれにせよ、これ以降、ユーザ１０６は、ＰＣ１６０等でインターネット接続サービスの提供を受けること、すなわちＷｅｂサーバ装置１３１等のサーバ装置（入会したＩＳＰのサーバ装置）を介して、インターネットにアクセスすることが可能となる。
【０００９】
また、メモリカード，ＦＤ等の可搬型記録媒体を利用してのインターネット接続のための自動設定を可能とするインターネット接続情報登録サービスによるビジネス方法も提案されている（例えば、特許文献１）。
【００１０】
特許文献１の発明では、量販店等のＰＣ或いは専用機器にメモリカードを接続し、そのＰＣ或いは専用機器に格納されたインターネット接続情報登録用アプリケーションに従う処理により、ユーザが選択したプロバイダの端末と通信回線を介して情報交換することでプロバイダ契約を代行し、そのプロバイダの端末からインターネット接続に必要な情報を受け取って、当該情報に基づきインターネット接続情報を生成してメモリカードに登録する。このインターネット接続情報が登録されたメモリカードを、ユーザの端末であるＰＣ，携帯電話機等の電子機器に接続すると、インターネット接続設定アプリケーションが自動起動され、メモリカードからインターネット接続情報を読み込んで、当該情報に基づき上述の電子機器にインターネット接続のための接続設定を実施する。
【００１１】
【特許文献１】
特開２００１−３０６４３０号公報
【００１２】
【発明が解決しようとする課題】
しかしながら、従来のＣＤ−ＲＯＭの無料配布による方法では、持ち帰ったＣＤ−ＲＯＭをユーザが端末で使用することで自動的に所定の顧客管理サーバ装置にアクセスはされるものの、自分で自身の情報を入力登録する必要がある。このような個人情報入力等の入会手続は、ＰＣリテラシの低い利用者にとっては、非常に負荷になる作業であり、面倒に感じる作業である。
【００１３】
さらに、従来のＣＤ−ＲＯＭの無料配布による方法では、無料配付用のＣＤ−ＲＯＭは持ち帰るものの、実際にインターネットの利用するに際して別途購入が必要な製品（ＬＡＮボード／カード，ＬＡＮケーブル，モジュラジャックなど）がある。これらの製品は、ＩＳＰ業者側や知人等に確認しながら結局自分で購入する必要があるので、ＰＣリテラシの低いユーザにとっては非常に負荷であり手間もかかる。
【００１４】
また、インターネットにアクセスするキーの条件として、（１）顧客ごとのカスタマイズができること、（２）インターネット利用環境に適したモノであること、が挙げられ、上述のＣＤ−ＲＯＭでは顧客ごとのカスタマイズができないといった点で、この条件を満たさない。そのため、上述のような配布型のＣＤ−ＲＯＭを使用した入会者獲得の確率は、かなり低い数値に留まっていると言うのが実状である。したがって、ＩＳＰ側からすると投資対効果が低く、１人のユーザを獲得するのにコストがかかりすぎることとなる。
【００１５】
また、ＣＤ−ＲＯＭに代わる可搬型の記憶媒体として、上述した自動セットアップソフトやダイアルアップソフトが格納可能な記憶容量を持ち、且つ消去不能にできるものとしては、ＩＣカード，メモリカード等の可搬型記録媒体が挙げられるが、リーダ・ライタが普及していないことや、各国独自の規格になっているためワールドワイドで利用できないことなどの点で、ＣＤ−ＲＯＭのような普及性，規格統一性の条件を満たさない。そのため、上述の問題点を克服し、インターネットに簡単・便利に入会できるサービスシステムは現状では存在していない。
【００１６】
一方、上述の（２）に関し、複数の端末でインターネット接続を行いたい場合などに特許文献１の発明は有用であるが、特許文献１の発明では、インターネット接続サービスへの登録はあくまで入会用のプログラムがインストールされた端末からしかできない上に、インストールされた端末（例えば量販店等に設置）の設置者にＩＳＰ業者が対価を支払わなければならず、１人のユーザを獲得するのにコストがかかりすぎることとなる。
【００１７】
本発明は、上述のごとき実情に鑑みてなされたものであり、インターネット接続へのユーザの負荷を減らし、且つインターネットサービスプロバイダ側のユーザ獲得コストを低減することが可能で、さらに、複数の端末でインターネット接続を行いたい場合やユーザが登録情報を変更したい場合など、サービス登録後のユーザ支援にも有用な、インターネット接続支援用の記録媒体、該記録媒体を利用したインターネットサービスプロバイダシステム、及び該記録媒体を利用したインターネット接続サービス提供方法を提供することをその目的とする。
【００１８】
【課題を解決するための手段】
本発明は、書込不可領域と書込可能領域とからなるハイブリッド型の記録媒体を用いることにより、上述の課題を解決するものであり、以下の技術手段により構成される。
【００１９】
第１の技術手段は、ユーザ側で読み取り可能で書き込み不可能な記憶領域である書込不可領域と、ユーザ側で読み取り及び書き込みが可能な記憶領域である書込可能領域と、を少なくとも含むハイブリッド型の記録媒体であって、前記書込不可領域には、インターネット接続サービスの登録に関するインターネット接続サービス登録プログラム及びインターネット接続の設定に関するインターネット接続設定プログラムが少なくとも格納されており、前記書込可能領域には、登録情報をインターネット接続サービス登録時又は該登録時及び登録情報変更時に格納することを特徴としたものである。
【００２０】
第２の技術手段は、第１の技術手段において、前記インターネット接続サービス登録プログラムは、インターネット接続確立に必要なユーザ固有情報を入力させる入力ステップと、インターネット接続サービスの提供元のサーバ装置に通信回線を介して接続する接続ステップと、前記入力ステップにより入力されたユーザ固有情報を、前記サーバ装置に送信し、該サーバ装置との情報のやり取りを行って前記インターネット接続サービスの利用申し込みの登録を行う登録ステップと、該登録ステップにより登録されたユーザ固有情報を含む登録情報を、前記端末に装着された当該記録媒体の前記書込可能領域に書き込む書込ステップと、を含むステップを、ユーザ側の端末に実行させるためのプログラムであることを特徴としたものである。
【００２１】
第３の技術手段は、第１又は第２の技術手段において、前記登録情報は、インターネット接続を行う際にユーザを認証するためのＩＤ及びパスワードを含むことを特徴としたものである。
【００２２】
第４の技術手段は、第１乃至第３のいずれか１の技術手段において、インターネット接続を行う際にユーザを認証するためのパスワードを、前記登録情報の一部として予め前記書込不可領域に格納しておくことを特徴としたものである。
【００２３】
第５の技術手段は、第１乃至第４のいずれか１の技術手段において、前記インターネット接続設定プログラムは、前記書込可能領域に格納された登録情報に基づいてインターネット接続情報を設定する設定ステップを含んでなるステップを、前記登録情報に係わるユーザが利用する任意の端末に実行させるためのプログラムであることを特徴としたものである。
【００２４】
第６の技術手段は、第５の技術手段において、前記インターネット接続設定プログラムは、前記設定ステップで設定した、前記登録情報に係わるユーザが利用する任意の端末に対するインターネット接続情報を、前記書込可能領域に書き込むステップを含んでなるステップを、前記端末に実行させるためのプログラムであることを特徴としたものである。
【００２５】
第７の技術手段は、第６の技術手段において、前記インターネット接続設定プログラムは、前記書込可能領域に書き込まれた前記任意の端末に対するインターネット接続情報を読み出し、該インターネット接続情報が該端末以外のユーザが利用する端末に対して変更となる情報を該端末に対して提示するステップを含んでなるステップを、該端末に実行させるためのプログラムであることを特徴としたものである。
【００２６】
第８の技術手段は、第５乃至第７のいずれか１の技術手段において、前記設定ステップは、インターネット接続情報として、前記書込可能領域に格納された登録情報或いはユーザ側で入力された情報に基づいて、複数の接続先サイトの中から特定の接続先サイトを設定することを特徴としたものである。
【００２７】
第９の技術手段は、第１乃至第８のいずれか１の技術手段において、前記インターネット接続サービス登録プログラムは、前記インターネット接続設定プログラムを起動可能とするためのパスワードを設定し、該パスワードを前記書込可能領域に書き込むパスワード設定ステップを含むステップを、ユーザ側の端末に実行させるためのプログラムであることを特徴としたものである。
【００２８】
第１０の技術手段は、第１乃至第９のいずれか１の技術手段において、前記書込不可領域には、当該記録媒体を読み込んでインターネット接続を行うためのパスワードを設定し、該パスワードを前記書込可能領域に書き込むパスワード設定プログラムが格納されていることを特徴としたものである。
【００２９】
第１１の技術手段は、第１乃至第１０のいずれか１の技術手段において、前記書込不可領域は、ユーザ側にとって読み取り専用の記憶領域であり、前記書込可能領域は、ユーザ側で追記可能な記憶領域であることを特徴としたものである。
【００３０】
第１２の技術手段は、第１乃至第１０のいずれか１の技術手段において、前記書込不可領域は、ユーザ側で読み取り及び追記可能な記憶領域であり、前記書込可能領域は、ユーザ側で書き換え可能な記憶領域であることを特徴としたものである。
【００３１】
第１３の技術手段は、第１乃至第１０のいずれか１の技術手段において、前記書込不可領域は、ユーザ側にとって読み取り専用の記憶領域であり、前記書込可能領域は、ユーザ側で書き換え可能な記憶領域であることを特徴としたものである。
【００３２】
第１４の技術手段は、第１乃至第１３のいずれか１の技術手段において、当該記録媒体は、光ディスクであることを特徴としたものである。
【００３３】
第１５の技術手段は、第１乃至第１４のいずれか１の技術手段におけるインターネット接続支援用の記録媒体を配布して、ユーザ側の端末で該記録媒体を用いてインターネット接続サービスに登録させ、ユーザにインターネット接続サービスを提供するインターネットサービスプロバイダシステムであって、前記インターネット接続登録プログラムによって通信回線を介して登録されたユーザの固有情報を含む登録情報を、顧客情報として登録し管理する顧客管理データベースと、該顧客管理データベースを管理するためのデータベース管理サーバ装置と、前記登録情報を登録元の端末に伝送する手段と、を有することを特徴としたものである。
【００３４】
第１６の技術手段は、第１乃至第１４のいずれか１の技術手段におけるインターネット接続支援用の記録媒体を配布して、ユーザ側の端末で該記録媒体の前記インターネット接続登録プログラムを起動させて、通信回線を介してインターネットサービスプロバイダの顧客管理データベースにユーザの固有情報を含む登録情報を登録させることで、該ユーザをインターネット接続サービスに入会させ、前記登録情報を、登録元の端末に伝送して前記記録媒体の書込可能領域に記録させ、そして、前記ユーザの端末で前記記録媒体の前記インターネット接続設定プログラムを起動させて該端末のインターネット接続設定を行わせることで、前記ユーザの使用する任意の端末に対し前記記録媒体を用いたインターネット接続サービスを提供する、インターネット接続サービス提供方法である。
【００３５】
【発明の実施の形態】
図１は、本発明の一実施形態に係るインターネット接続支援用の記録媒体の一例を示す概略図である。
本発明は、書込不可領域と書込可能領域とを少なくとも含むハイブリッド型の記録媒体を用いることを特徴とする。以下、ハイブリッド型の記録媒体（ハイブリッド型の情報記録媒体とも言える）として、主として図１を参照して工場出荷時やＩＳＰ側などでＲＯＭ部を書き込んだＣＤ−Ｒ（Ｃｏｍｐａｃｔ  ＤｉｓｃＲｅｃｏｒｄａｂｌｅ）を例に挙げて説明するが、本発明に適用可能なハイブリッド型記録媒体としては、ユーザ側で読み取り可能で書き込み不可能な記憶領域である書込不可領域と、ユーザ側で読み取り及び書き込みが可能な記憶領域である書込可能領域と、からなるハイブリッド型且つ可搬型の記録媒体であればよい。なお、本明細書中、ユーザ側とは、ユーザ本人に限らずその知人や、量販店等の端末販売店なども含むものとする。
【００３６】
例えば、書込不可領域は、ユーザ側にとって読み取り専用の記憶領域であり、書込可能領域は、ユーザ側で追記可能な記憶領域であるようにしてもよい。この例としては、図１にハイブリッド型記録媒体１で示すＣＤ−Ｒが挙げられる。図１のハイブリッド型記録媒体１（ＣＤ−Ｒ）は、書込不可領域であるＲＯＭ領域１１と、書込可能領域であるＲＡＭ領域１２とからなっており、その断面は一部を図示したように、基板１３上に色素記録層１４，反射層１５，保護層１６が積層されており、ＲＯＭ領域１１の案内溝１７はＲＡＭ領域１２の案内溝１８より深く形成されている。なお、図１では、記録時には基板１３側からレーザ光を照射して色素の熱変化を起こさせ記録ピットを形成し、再生時にはレーザ光が記録ピットの有無による反射率の変化をデジタル信号として読み取る。
【００３７】
他の形態の記録媒体として、書込不可領域は、ユーザ側で読み取り及び追記可能な記憶領域であり、書込可能領域は、ユーザ側で書き換え可能な記憶領域であるようにしてもよい。さらに他の形態の記録媒体として、書込不可領域は、ユーザ側にとって読み取り専用の記憶領域であり、書込可能領域は、ユーザ側で書き換え可能な記憶領域であるようにしてもよい。これらの例としては、ＣＤ−ＲＷ（ＣＤ  Ｒｅｗｒｉｔａｂｌｅ）などに記憶領域の書き込み制限のプログラムを、読み込むデータとして格納した記録媒体や、書込不可領域をＣＤ−Ｒで書込可能領域をＣＤ−ＲＷで製造した記録媒体などが挙げられる。
【００３８】
なお、本発明に係る記録媒体としては、ＣＤの各種フォーマットやＤＶＤ（Ｄｉｇｉｔａｌ  Ｖｅｒｓａｔｉｌｅ  Ｄｉｓｋ）の各種フォーマットなど光ディスクを採用することが記憶の方法や記憶容量，強度，配布容易性の点などから見て好ましい。さらに、接続設定済みのハイブリッド型記録媒体のＲＡＭ領域の情報を不注意で消してしまった場合、ＣＤ−Ｒの場合には記録媒体１のメーカに渡せばトラブル前の状態に戻せるので、ＣＤ−Ｒで工場出荷時にＲＯＭ領域に所定のプログラム等を入れることが好ましい。
【００３９】
本発明の特徴として、ＲＯＭ（Ｒｅａｄ  Ｏｎｌｙ  Ｍｅｍｏｒｙ）領域１１には、インターネット接続サービス登録プログラム（サービス入会プログラムとも言える）及びインターネット接続設定プログラムが少なくとも格納されており、ＲＡＭ（Ｒａｎｄｏｍ  Ａｃｃｅｓｓ  Ｍｅｍｏｒｙ）領域１２には、登録情報をインターネット接続サービス登録（入会）時又は該登録時及び登録情報変更時に格納するものとする。インターネット接続サービス登録プログラムとは、ユーザ個人の固有情報を入力・設定する手順をメニュー画面等で順に提示し、ＩＳＰ側のサーバ装置とやり取りをすることで、インターネット接続サービスに登録するためのプログラムであり、ユーザ個人の固有情報とはＩＳＰ側が顧客情報として必要な情報となる。一方、インターネット接続設定プログラムとは、登録後に登録情報に基づいてユーザの端末がインターネット接続可能となるように設定するプログラムであり、端末側にそのプログラムの大部分が格納されていてもよいが、少なくとも登録情報を読み取るプログラムはＲＯＭ領域１１に格納されている必要がある。
【００４０】
本発明によれば、ＰＣ等の情報通信端末はある程度使用しているが、ソフトウエアの各種設定が面倒くさいと考えている人がインターネット接続をしたいと思った場合、本発明では個人情報の入力及び接続情報の設定はサービスプロバイダとのやり取りを経由して最後まで行うため、従来技術に比べてより簡単に加入手続きを行える。
【００４１】
また、これらのプログラム及び登録情報を格納した記録媒体１を用いることで、ユーザが任意のコンピュータシステムなどの端末（情報通信端末）で、インターネットサービスプロバイダに容易に接続することが可能となり、インターネット上の様々なサイトへのアクセスが容易に行えるようになる。例えば、また、外出先や出張先などでインターネットにアクセスしたい場合も個人情報及び接続情報が記録されたハイブリッド型記録媒体を持参するだけで、すぐに現地のコンピュータシステムに設定が可能となる。すなわち、２台目以降のコンピュータシステムや他に接続可能な周辺機器である電子機器においても、同様にインターネットサービスを受けるためのセッティングを容易に行うことができる。
【００４２】
このように、本実施形態の記録媒体は、インターネット接続サービスの会員入会用だけでなく、入会後のユーザ支援に応用されるものである。すなわち、インターネットサービスプロバイダへの登録だけでなく、登録して接続した後もユーザ専用のマイディスクとして持ち運んだりして、接続後のアプリケーションの利用なども鑑みたインストール用の記録媒体を提供することができる。
【００４３】
上述のごとく、本発明によれば、インターネット接続サービスを提供する際に、インターネット接続へのユーザの負荷（入会サービスにおけるユーザの負荷）を減らし、且つインターネットサービスプロバイダ側のユーザ獲得コストを低減することが可能で、さらに、複数の端末でインターネット接続を行いたい場合やユーザが登録情報を変更したい場合など、サービス登録後のユーザ支援にも有用となる。さらに、本発明によれば、インターネットに簡単・便利に入会できるサービスを提供でき、さらにインターネット接続サービスに入会後のユーザ環境における利便性が向上し、そのユーザ支援は一般に読み取り可能な記録媒体を用いることでワールドワイドで展開できる。また、ハイブリッド型記録媒体の販売メーカにとってみれば、プログラムを格納した媒体の販売が可能となるため、売上の向上も期待できる。
【００４４】
図２は、本発明の一実施形態に係る、ハイブリッド型記録媒体を利用したインターネットサービスプロバイダシステムの一構成例を説明するための図で、図３は、図２のユーザ端末の一構成例を示すブロック図である。
【００４５】
本発明に係る、ハイブリッド型記録媒体を利用したインターネットサービスプロバイダシステム（以下、本システムとも称する）では、上述した或いは後述する各実施形態に係るハイブリッド型記録媒体（以下、ＨＢＤと略す）１を配布するものとする。本システムは、Ｗｅｂサーバ装置３１と、それに接続されたデータベース管理サーバ装置３２と、その管理対象である顧客管理データベース（ＤＢ）３３と、登録情報を登録元の端末６０に伝送する手段と、をその主たる構成要素とする。本システムでは、ユーザ側（図２の例ではユーザ６）の端末（図２の例では端末６０）で、配布したＨＢＤ１を用いてインターネット接続サービスに登録させ、ユーザ６にインターネット接続サービスを提供するインターネットサービスプロバイダシステムであり、顧客管理ＤＢ３３では、インターネット接続登録プログラムによって通信回線（ネットワーク）５を介して登録されたユーザの固有情報を含む登録情報を、顧客情報として登録し管理する。なお、配布に関し、本発明では、ＨＢＤ１を、購入ＰＣ等に添付して配布してもよいし、その場でサービス登録してもよい。必要な情報は全部ＨＢＤ１に書き込んであるので、外部のＰＣで使うことも可能である。
【００４６】
ここで、インターネット接続サービス登録プログラムの様々な形態を説明する。
インターネット接続サービス登録プログラムは、入力ステップ，接続ステップ，登録ステップ，書込ステップを含むステップを、ユーザ６側の端末に実行させるためのプログラムである。ここで、入力ステップでは、インターネット接続確立に必要なユーザ固有情報を、ユーザ６側の端末（図２では端末６０）により入力させる。接続ステップでは、インターネット接続サービスの提供元のサーバ装置３１（或いは複数のサーバ装置の中から選んだサーバ装置）に通信回線を介して接続する。なお、実際にはサーバ装置３２に接続されればよい。登録ステップでは、入力ステップにより入力されたユーザ固有情報を、サーバ装置３１（最終的にはサーバ装置３２）に送信し、サーバ装置３１（最終的にはサーバ装置３２）との情報のやり取りを行ってインターネット接続サービスの利用申し込みの登録（の確定）を行う。書込ステップでは、登録ステップにより登録されたユーザ固有情報を含む登録情報を、端末６０に装着されたＨＢＤ１の書込可能領域に書き込む。なお、登録情報として、インターネット接続の対価の請求先を含むようにすることが好ましい。
【００４７】
また、登録情報に、インターネット接続を行う際にユーザを認証するためのＩＤ及びパスワードを含むようにするか、或いは、インターネット接続を行う際にユーザを認証するためのパスワードを、登録情報の一部として予め書込不可領域に格納しておくようにすればよい。前者の場合も後者の場合にも、登録情報（例えばパスワードや追加ＩＤ等）を変更する際には書込可能領域に書き込む（記録媒体に依り追記或いは上書きとなる）ようにするとよい。
【００４８】
一方、インターネット接続設定プログラムは、設定ステップを含んでなるステップを、登録情報に係わるユーザ６が利用する任意の端末６０等に実行させるためのプログラムであるように組んでもよい。ここでの設定ステップとは、書込可能領域に格納された登録情報に基づいてインターネット接続情報を設定するステップを指す。さらに、インターネット接続設定プログラムは、この設定ステップで設定した、登録情報に係わるユーザ６が利用する任意の端末６０等に対するインターネット接続情報を、書込可能領域に書き込むステップを含んでなるステップを、この端末６０等に実行させるためのプログラムであるように組んでもよい。さらには、設定ステップは、インターネット接続情報として、書込可能領域に格納された登録情報或いはユーザ６側で入力された情報（例えば電話番号等の情報）に基づいて、複数の接続先サイトの中から特定の接続先サイト（例えば近隣のサイト）を設定するようにしてもよい。ここでのインターネット接続は、会員となったユーザ６が任意のＰＣでインターネット接続する際に、登録情報（顧客管理情報）に基づいて、顧客管理情報の特定の項目、若しくは複数の特定の項目の組み合わせにより予めＩＳＰ側にて作成されたデータベース（書込不可領域に格納）に基づき接続先サイトを決定して行うこととなる。
【００４９】
ここで、作成した（登録情報を記録済みの）ＨＢＤ１′が他人に無断で使われることを防止することが可能な実施形態を説明する。
インターネット接続サービス登録プログラムは、インターネット接続設定プログラムを起動可能とするためのパスワードを設定し、そのパスワードを書込可能領域に書き込むパスワード設定ステップを含むステップを、ユーザ６側の端末（図２では端末６０）に実行させるためのプログラムであるように組めばよい。他の形態として、インターネット接続サービス登録プログラムやインターネット接続設定プログラムとは別途、書込不可領域には、ＨＢＤ１′を読み込んでインターネット接続を行うためのパスワードを設定し、そのパスワードを書込可能領域に書き込むパスワード設定プログラムが格納されているようにしてもよい。このように、ユーザ側（できればユーザ本人）でパスワードを設定することが好ましい。いずれの形態でも、パスワードがＨＢＤ１（１′）に記載された後の接続プログラムの実行にはパスワードの入力が必要となる。
【００５０】
次に、ＨＢＤ１を挿入した端末における処理を、図３に示す一般的な情報処理装置（但し、記録媒体駆動装置を装備）の構成例を参照して説明する。この端末６０で取り扱われる情報は、その処理時に一時的にＲＡＭ６２に蓄積され、その後記録媒体駆動装置６５によりＨＢＤ１（登録や接続に関する情報以外は端末６０内のＨＤＤ等の各種ＲＯＭ６３）に格納される。また、端末６０にサービス入会やインターネット接続を実行させる上述した各プログラムは、ＨＢＤ１の書込不可領域から、ＣＰＵ６１が読み出すことによって実行される。また、これらのプログラムは、ユーザ等が使用する際に容易となるような表示装置６６用のグラフィカルユーザインターフェースを備えるようにして、メニュー画面などの処理の途中経過や結果が表示装置６６を通してユーザに提示され、必要に応じてキーボード，マウス（ポインティングデバイス）等の入力装置６４からユーザ（或いは後述するようにユーザの知人や量販店の店員等）が処理に必要な情報を入力するようにすればよい。また、その他の処理の実行中に作られる中間データもＲＡＭ６２に蓄積され、必要に応じて、ＣＰＵ６１によって読み出し、修正・書き込みが行われる。なお、ＣＰＵ６１，ＲＡＭ６２，ＲＯＭ６３，入力装置６４，記録媒体駆動装置６５，表示装置（ＣＲＴ，ＬＣＤ等）６６，プリンタ等出力装置（図示せず），通信装置６７は、バス６８により接続されるか、各要素の一部がＬＡＮ等のネットワークを介して接続されていればよい。
【００５１】
次に、本発明に係る、ハイブリッド型記録媒体を利用したインターネット接続サービス提供方法（以下、本方法とも称する）を説明する。
図４は、図２のインターネットサービスプロバイダシステムにおける処理の流れを説明するためのフロー図で、本発明の一実施形態に係る、ハイブリッド型記録媒体を利用したインターネット接続サービス提供方法の一例を説明するためのフロー図でもある。
【００５２】
本方法では、上述したＩＳＰシステムと同様に、上述した或いは後述する各実施形態に係るＨＢＤ１を配布するものとする。ユーザ側（図２の例ではユーザ６）の端末（図２の例では端末６０）でＨＢＤ１のインターネット接続登録プログラムを起動させ、通信回線５を介してインターネットサービスプロバイダの顧客管理ＤＢ３３にユーザ６の固有情報を含む登録情報を登録させることで、そのユーザ６をインターネット接続サービスに入会させ、登録情報を、登録元の端末６０に伝送してＨＢＤ１のＲＡＭ領域に記録させる。そして、そのユーザ６の端末（図２の例では端末６０）でインターネット接続設定プログラムを起動させ、インターネット接続の設定を行わせることで、そのユーザ６の使用する任意の端末に対してＨＢＤ１を用いたインターネット接続サービスを提供することができる。
【００５３】
まず、ＩＳＰ（ＩＳＰ業者）３がＨＢＤメーカ２にＨＢＤ１の製造を依頼する（ステップＳ１）。ここで依頼するＨＢＤ１には、ＲＯＭ領域に上述の各プログラムが記録されているものとし、実際にはＩＳＰ業者３によって記録するプログラムの内容は異なってくるのが普通である。ＨＢＤメーカ２は要求のＨＢＤ１を製造し、ＩＳＰ業者３はその対価を支払う（ステップＳ２）。ここで、ＩＳＰ業者３が市販のＣＤ−Ｒを購入し上述の各プログラムをＲＯＭ領域としＣＤ−Ｒに記録するようにしてもよい。
【００５４】
ＩＳＰ業者３は量販店４でＨＢＤ１を配布する（ステップＳ３）。配布場所はどこでもよく、郵送などにより行ってもよいが、ＩＳＰ業者３が、サービスに必要なプログラムが格納されたＨＢＤ１を予め用意し、量販店４等、人目につく場所に配布しておく方がよい。ユーザ６は、端末６０を購入する際、或いは単に量販店４に来た際、店員などからの配布によりＨＢＤ１を得、それを持ち帰る。
【００５５】
ユーザ６は、ユーザ６のＰＣ等の端末６０でインターネット接続の設定を行う、すなわちＩＳＰ側に登録を行う（ステップＳ４）。ここでは、ユーザ６が、ＨＢＤ１に格納された入会プログラムに従い、自分の端末６０で必要なユーザ固有情報を入力して、そのＨＢＤ１に係る特定のＩＳＰサービス入会・登録申請を行う。ＩＳＰ側は、登録情報をユーザ６の端末６０に送信し、ユーザ６（実際には端末６０）はその登録情報をＨＢＤ１に書き込み、ユーザ６個人のディスクであるＨＢＤ１′を生成する（ステップＳ５）。実際には、入会・登録手続きが完了すると、サービス利用に必要なユーザＩＤ，パスワード，メールアカウント，メールアカウントパスワード等の登録情報が送られてきて、それをＨＢＤ１のＲＡＭ領域に追記する。なお、ユーザＩＤやメールアカウントなどはユーザ固有情報として、ユーザ６が端末６０から入力し、ＩＳＰ側と情報のやり取りをすることで、ユーザ６の好みのＩＤやメールアカウントが得られるようになる。
【００５６】
その後引き続き、或いは一度作業を終了し再度ＨＢＤ１′が挿入された時、ＨＢＤ１′に格納されたインターネット接続設定プログラムが自動的に立ち上がり、ＨＢＤ１′中の登録情報に基づいて、ブラウザ，メーラーソフトの設定を自動で行い、インターネット接続をするための回線が接続されているかどうかをチェックする（されていなければ、ケーブル接続やアダプタの設定等を促す）。ここで回線が接続されていた場合、そのまま自動的に特定のインターネットサービスプロバイダに接続し、ノークリックでインターネットに接続する。
【００５７】
また、ユーザ６が、ＨＢＤ１′を持ち歩き、別の汎用ＰＣにそのＨＢＤ１′をセットした場合には、ＨＢＤ１′に格納されたインターネット接続設定プログラムが、自動的に立ち上がり、ＨＢＤ１′中の登録情報に基づいて、ブラウザ，メーラーソフトの設定を自動で行い、インターネット接続をするための回線が接続されているかどうかをチェックする（されていなければ、ケーブル接続等を促す）。ここで回線が接続されていた場合、そのまま自動的に特定のインターネットサービスプロバイダに接続し、ノークリックでインターネットに接続する。
【００５８】
図５は、本発明の他の実施形態に係る、ハイブリッド型記録媒体を利用したインターネットサービスプロバイダシステムの一構成例を説明するための図で、図６は、図５のインターネットサービスプロバイダシステムにおける処理の流れを説明するためのフロー図で、本発明の他の実施形態に係る、ハイブリッド型記録媒体を利用したインターネット接続サービス提供方法の一例を説明するためのフロー図でもある。
【００５９】
図５で例示するＩＳＰシステムでは、ユーザ６から依頼された第三者（ここでは知人７）が、知人７の端末７０にてユーザ６のインターネット接続を設定し（インターネットサービスプロバイダ側に登録を行い）、ＩＳＰ３側は登録情報を端末７０に送信し、端末７０はその登録情報をＨＢＤ１に書き込み、ユーザ６は、登録情報が書き込まれたＨＢＤ１′を用いてユーザ端末６０にてインターネット接続の設定を行う。ここで説明するＩＳＰシステムは、第三者にサービス登録を依頼することが可能である。なお、詳細な説明は、図１乃至図４で説明したシステムと、登録時の対象者が変わっただけであり、適宜援用可能であるので省略する。
【００６０】
図６を参照して、図５のＩＳＰシステムにおける一連の流れを説明する。
ＩＳＰ業者３がＨＢＤメーカ２にＨＢＤ１の製造を依頼する（ステップＳ１１）。ＨＢＤメーカ２は要求のＨＢＤ１を製造し、ＩＳＰ業者３はその対価を支払う（ステップＳ１２）。ＩＳＰ業者３は量販店４等でこのＨＢＤ１を配布する（ステップＳ１３）。ユーザ６はＨＢＤ１を持ち帰り、知人７にインターネット接続の設定（サービスの登録又はサービスの登録及びインターネット接続設定）を依頼する（ステップＳ１４）。知人７はユーザ６から預かったＨＢＤ１を用いて、ユーザ６のインターネット接続を設定する（ＩＳＰ側に登録を行う）（ステップＳ１５）。ここで知人７は、ユーザ６の要求に応じた段階まで設定（少なくともサービス登録は含む）を行う。ステップＳ１５の後、ＩＳＰ３側は登録情報を知人７のＰＣ等端末７０に送信し、端末７０はその登録情報をＨＢＤ１に書き込み、知人７はユーザ６にそのＨＢＤ１′を返す（ステップＳ１６）。ユーザ６は受け取ったＨＢＤ１′でインターネット接続を行う（ステップＳ１７）。
【００６１】
なお、例えば、インターネット接続設定を端末６０に対して知人７が行った場合には、そのままユーザ６もインターネット接続可能であるが、インターネット接続設定を端末７０に対して知人７が行った場合にも、ユーザ６も容易に端末６０でインターネット接続設定が可能とするように、インターネット接続設定プログラムは、端末６０にＨＢＤ１′が挿入された際に、まず端末７０との差を検出し、変更部分だけの入力をユーザ６に要求するようなプログラムとしてもよい。この場合、インターネット接続設定プログラムは、書込可能領域に書き込まれた任意の端末（端末７０）に対するインターネット接続情報を読み出し、そのインターネット接続情報が端末７０以外のユーザが利用する端末６０に対して変更となる情報を端末６０に対して提示するようにしてもよい。
【００６２】
上述のごとく、本発明が、個人情報の入力及び接続情報の設定と実際に使用する端末への設定とを分離した方法となっているため、個人情報の入力及び接続情報の設定の部分を端末の操作に精通した別の人に委ねることも可能となり、従来技術に比べてより簡単にＩＳＰに加入でき、インターネット接続・メールソフト利用時の面倒な諸設定をすることなくインターネットにアクセスすることができ、メールを利用することができる。
【００６３】
図７は、本発明の他の実施形態に係る、ハイブリッド型記録媒体を利用したインターネットサービスプロバイダシステムの一構成例を説明するための図で、図８は、図７のインターネットサービスプロバイダシステムにおける処理の流れを説明するためのフロー図で、本発明の他の実施形態に係る、ハイブリッド型記録媒体を利用したインターネット接続サービス提供方法の一例を説明するためのフロー図でもある。
【００６４】
図７で例示するＩＳＰシステムでは、ユーザ６から依頼された第三者（ここでは量販店４）が、端末４０にてユーザ６のインターネット接続を設定し（インターネットサービスプロバイダ側に登録を行い）、ＩＳＰ３側は登録情報を端末４０に送信し、端末４０はその登録情報をＨＢＤ１に書き込み、ユーザ６は、登録情報が書き込まれたＨＢＤ１′を用いてユーザ端末６０にてインターネット接続の設定を行う。基本的な考えは図５で例示したＩＳＰシステムと同じであるので詳細な説明を省略する。
【００６５】
図８を参照して、図７のＩＳＰシステムにおける一連の流れを説明する。
ＩＳＰ業者３がＨＢＤメーカ２にＨＢＤ１の製造を依頼する（ステップＳ２１）。ＨＢＤメーカ２は要求のＨＢＤ１を製造し、ＩＳＰ業者３はその対価を支払う（ステップＳ２２）。ＩＳＰ業者３は量販店４等でこのＨＢＤ１を配布する（ステップＳ２３）。ユーザ６は、量販店４等にインターネット接続の設定（サービスの登録又はサービスの登録及びインターネット接続設定）を依頼する（ステップＳ２４）。量販店４等は、ＨＢＤ１を用いてユーザ６のインターネット接続を設定する（ＩＳＰ側に登録を行う）（ステップＳ２５）。ここで量販店４等は、ユーザ６の要求に応じた段階まで設定（少なくともサービス登録は含む）を行う。ステップＳ２５の後、ＩＳＰ３側は登録情報を量販店４等のＰＣ等端末４０に送信し、端末４０はその登録情報をＨＢＤ１に書き込み、量販店４等の店員はユーザ６にそのＨＢＤ１′を渡す（ステップＳ２６）。ユーザ６は受け取ったＨＢＤ１′でインターネット接続を行う（ステップＳ２７）。なお、ここで、ＨＢＤ１に量販店４等がＩＳＰ業者３側に対し入会者紹介の対価を請求するプログラムを組み込んでもよい。
【００６６】
なお、例えば、インターネット接続設定を端末６０に対して量販店４等が行った場合には、そのままユーザ６もインターネット接続可能であるが、インターネット接続設定を端末４０に対して量販店４等が行った場合にも、ユーザ６も容易に端末６０でインターネット接続設定が可能とするように、インターネット接続設定プログラムは、端末６０にＨＢＤ１′が挿入された際に、まず端末４０との差を検出し、変更部分だけの入力をユーザ６に要求するようなプログラムとしてもよい。この場合、インターネット接続設定プログラムは、書込可能領域に書き込まれた任意の端末（端末４０）に対するインターネット接続情報を読み出し、そのインターネット接続情報が端末４０以外のユーザが利用する端末６０に対して変更となる情報を端末６０に対して提示するようにしてもよい。
【００６７】
【発明の効果】
本発明によれば、インターネット接続サービスを提供する際に、インターネット接続へのユーザの負荷を減らし、且つインターネットサービスプロバイダ側のユーザ獲得コストを低減することが可能で、さらに、複数の端末でインターネット接続を行いたい場合やユーザが登録情報を変更したい場合など、サービス登録後のユーザ支援にも有用となる。
【図面の簡単な説明】
【図１】本発明の一実施形態に係るインターネット接続支援用の記録媒体の一例を示す概略図である。
【図２】本発明の一実施形態に係る、ハイブリッド型記録媒体を利用したインターネットサービスプロバイダシステムの一構成例を説明するための図である。
【図３】図２のユーザ端末の一構成例を示すブロック図である。
【図４】図２のインターネットサービスプロバイダシステムにおける処理の流れを説明するためのフロー図である。
【図５】本発明の他の実施形態に係る、ハイブリッド型記録媒体を利用したインターネットサービスプロバイダシステムの一構成例を説明するための図である。
【図６】図５のインターネットサービスプロバイダシステムにおける処理の流れを説明するためのフロー図である。
【図７】本発明の他の実施形態に係る、ハイブリッド型記録媒体を利用したインターネットサービスプロバイダシステムの一構成例を説明するための図である。
【図８】図７のインターネットサービスプロバイダシステムにおける処理の流れを説明するためのフロー図である。
【図９】従来技術によるインターネットサービスプロバイダ入会方法を説明するための模式図である。
【符号の説明】
１…ハイブリッド型の記録媒体、１′…書込後のハイブリッド型の記録媒体、１１…書込不可領域（ＲＯＭ領域）、１２…書込可能領域（ＲＡＭ領域）、１３…基板、１４…色素記録層、１５…反射層、１６…保護層、１７…ＲＯＭ領域の案内溝、１８…ＲＡＭ領域の案内溝。
【図１】
2004302810.tif 000003
【図２】
2004302810.tif 000004
【図３】
2004302810.tif 000005
【図４】
2004302810.tif 000006
【図５】
2004302810.tif 000007
【図６】
2004302810.tif 000008
【図７】
2004302810.tif 000009
【図８】
2004302810.tif 000010
【図９】
2004302810.tif 000011